(57)【要約】【課題】  簡単な構造でポジションライトに縞模様のグラデーションを形成する。【解決手段】  ヘッドライト１３の上端に沿って車幅方向に延びるポジションライト１４のリフレクタ２３が車幅方向に所定間隔で配置された複数のスリット２３ｅを備えるので、光を反射するスリット２３ｅ以外の部分が明るく見え、光を反射しないスリット２３ｅの部分が暗く見えることで、ポジションライト１４に車幅方向に明るさが変化する縞模様のグラデーションを形成して意匠効果を発揮させることができる。リフレクタ２３をステップ状に形成するだけでは達成できないコントラストの強い縞模様のグラデーションを、レンズ２４の裏面に特別のフィルムを貼り付けることなく、リフレクタ２３にスリット２３ｅを形成するだけの簡単な構造で達成することができる。【選択図】        図３
2015079627.tif 000002
【特許請求の範囲】
【請求項１】
ヘッドライト（１３）の上端に沿って車幅方向に延びるポジションライト（１４）が、光源（２５）と、前記光源（２５）の後方に配置されたリフレクタ（２３）と、前記光源（２５）の前方に配置されたレンズ（２４）とを備え、前記光源（２５）から出て前記リフレクタ（２３）で反射された光が前記レンズ（２４）を透過して前方に出射される車両用ポジションライトであって、
前記リフレクタ（２３）は車幅方向に所定間隔で配置された複数のスリット（２３ｅ）を備えることを特徴とする車両用ポジションライト。
【請求項２】
前記複数のスリット（２３ｅ）のスリット幅は、前記リフレクタ（２３）の車幅方向外側から内側に向かって漸増することを特徴とする、請求項１に記載の車両用ポジションライト。
【請求項３】
前記リフレクタ（２３）の車幅方向内側に隣接して配置されたフロントグリル（１１）を備え、前記フロントグリル（１１）は黒色であることを特徴とする、請求項２に記載の車両用ポジションライト。
【請求項４】
前記リフレクタ（２３）の後方を覆って前記光源（２５）を支持するボディ部（２２）を備え、前記ボディ部（２２）の前面は前記リフレクタ（２３）の前面よりも明度が低いことを特徴とする、請求項１〜請求項３の何れか１項に記載の車両用ポジションライト。
【発明の詳細な説明】
【技術分野】
【０００１】
本発明は、ヘッドライトの上端に沿って車幅方向に延びるポジションライトが、光源と、前記光源の後方に配置されたリフレクタと、前記光源の前方に配置されたレンズとを備え、前記光源から出て前記リフレクタで反射された光が前記レンズを透過して前方に出射される車両用ポジションライトに関する。
【背景技術】
【０００２】
ヘッドライト（前照灯ユニット）およびポジションライト（標識灯ユニット）を一体に備える自動車用のコンビネーションライトにおいて、ヘッドライトの上方に車幅方向に細長いポジションライトを配置したものが、下記特許文献１により公知である。
【先行技術文献】
【特許文献】
【０００３】
【特許文献１】特許第５１４５１９０号公報
【発明の概要】
【発明が解決しようとする課題】
【０００４】
ところで、車幅方向に細長いポジションライトに、明るい部分および暗い部分が車幅方向に交互に連続する縞模様のグラデーションを形成すれば意匠性を高めることができる。このような縞模様のグラデーションを形成する手段として、ポジションランプから出た光を反射するリフレクタの反射面をジグザグのステップ状に構成し、光を前方に反射して明るく見える部分と、光を前方以外の方向に反射して暗く見える部分とを交互に形成するものが知られている。
【０００５】
しかしながら、ステップ状の反射面を有するリフレクタを用いた場合には、明るく見える部分と暗く見える部分との明度差が不充分になり、コントラストの強い縞模様のグラデーションを形成することが困難であった。
【０００６】
また他の手段として、リフレクタの前方を覆うレンズの後面に、光を透過する部分と光を透過しない部分とが交互に形成された縞模様のフィルムを貼り付けることが考えられるが、このフィルムを用いた場合には部品点数や組付工数が増加するためにコストが上昇する問題がある。
【０００７】
本発明は前述の事情に鑑みてなされたもので、簡単な構造でポジションライトに縞模様のグラデーションを形成することを目的とする。
【課題を解決するための手段】
【０００８】
上記目的を達成するために、請求項１に記載された発明によれば、ヘッドライトの上端に沿って車幅方向に延びるポジションライトが、光源と、前記光源の後方に配置されたリフレクタと、前記光源の前方に配置されたレンズとを備え、前記光源から出て前記リフレクタで反射された光が前記レンズを透過して前方に出射される車両用ポジションライトであって、前記リフレクタは車幅方向に所定間隔で配置された複数のスリットを備えることを特徴とする車両用ポジションライトが提案される。
【０００９】
また請求項２に記載された発明によれば、請求項１の構成に加えて、前記複数のスリットのスリット幅は、前記リフレクタの車幅方向外側から内側に向かって漸増することを特徴とする車両用ポジションライトが提案される。
【００１０】
また請求項３に記載された発明によれば、請求項２の構成に加えて、前記リフレクタの車幅方向内側に隣接して配置されたフロントグリルを備え、前記フロントグリルは黒色であることを特徴とする車両用ポジションライトが提案される。
【００１１】
また請求項４に記載された発明によれば、請求項１〜請求項３の何れか１項の構成に加えて、前記リフレクタの後方を覆って前記光源を支持するボディ部を備え、前記ボディ部の前面は前記リフレクタの前面よりも明度が低いことを特徴とする車両用ポジションライトが提案される。
【００１２】
尚、実施の形態のポジションランプ２５は本発明の光源に対応する。
【発明の効果】
【００１３】
請求項１の構成によれば、ヘッドライトの上端に沿って車幅方向に延びるポジションライトは、光源と、光源の後方に配置されたリフレクタと、光源の前方に配置されたレンズとを備え、光源から出てリフレクタで反射された光がレンズを透過して前方に出射される。リフレクタは車幅方向に所定間隔で配置された複数のスリットを備えるので、光を反射するスリット以外の部分が明るく見え、光を反射しないスリットの部分が暗く見えることで、ポジションライトに車幅方向に明るさが変化する縞模様のグラデーションを形成して意匠効果を発揮させることができる。このように、リフレクタをステップ状に形成するだけでは達成できないコントラストの強い縞模様のグラデーションを、レンズの裏面に特別のフィルムを貼り付けることなく、リフレクタにスリットを形成するだけの簡単な構造で達成することができる。
【００１４】
また請求項２の構成によれば、複数のスリットのスリット幅は、リフレクタの車幅方向外側から内側に向かって漸増するので、ポジションライトに車幅方向外側から内側に向かって次第に暗くなるグラデーションを形成することができる。
【００１５】
また請求項３の構成によれば、リフレクタの車幅方向内側に隣接して配置されたフロントグリルを備え、フロントグリルは黒色であるので、車幅方向外側から車幅方向内側に向かって次第に暗くなるポジションライトの明るさを黒色の暗いフロントグリルに連続させることで、ポジションライトからフロントグリルに至る連続したグラデーションを形成して意匠性を高めることができる。
【００１６】
また請求項４の構成によれば、リフレクタの後方を覆って光源を支持するボディ部を備え、ボディ部の前面はリフレクタの前面よりも明度が低いので、前方からポジションライトを見たときに、リフレクタのスリットを通してボディ部が暗く見えることで、リフレクタの反射面とスリットとの明るさのコントラストを際立たせることができる。
【図面の簡単な説明】
【００１７】
【図１】自動車のフロントグリルおよびコンビネーションライトの正面図。
【図２】図１の２部拡大図。
【図３】図２の３−３線断面図。
【図４】図３の４部拡大図。
【図５】リフレクタの斜視図。
【発明を実施するための形態】
【００１８】
以下、図１〜図５に基づいて本発明の実施の形態を説明する。尚、本明細書において、前後方向、左右方向（車幅方向）および上下方向とは、運転席に着座した乗員を基準として定義される。
【００１９】
図１および図２に示すように、自動車の前面の車幅方向中央部に黒色のフロントグリル１１が設けられており、フロントグリル１１の車幅方向両側に左右一対のコンビネーションライト１２，１２が配置される。コンビネーションライト１２は、ヘッドライト１３と、ヘッドライト１３の上端に沿って車幅方向に細長く延びるポジションライト（スモールライト）１４と、ヘッドライト１３の車幅方向外端に設けられたターンシグナルライト１５とを備える。
【００２０】
図２および図３に示すように、コンビネーションライト１２は、ヘッドライト１３、ポジションライト１４およびターンシグナルライト１５に共通の枠部２１と、枠部２１の後方を覆うボディ部２２とを備える。ポジションライト１４は、ボディ部２２の前面に固定されたリフレクタ２３と、枠部２１の開口部に嵌合するレンズ２４と、ボディ部２２に固定されてリフレクタ２３の開口２３ａを後から前に貫通するポジションランプと２５を備える。ポジションランプ２５は、ＨＩＤ（High Intensity Discharge）ランプ、ＬＥＤ（Light Emitting Diode）ランプ、ハロゲンランプ等の任意の発光体である。
【００２１】
図３〜図５に示すように、合成樹脂製のリフレクタ２３は、相互に平行に配置されて車幅方向に水平に延びる上壁部２３ｂおよび下壁部２３ｃと、上壁部２３ｂおよび下壁部２３ｃの後端間を上下方向に接続する反射壁２３ｄとを備える。ジグザグのステップ状に屈曲する反射壁２３ｄは全体として後方に凸に湾曲しており、その前面は光を効率的に反射するようにアルミニウムを蒸着した反射面で構成される。
【００２２】
リフレクタ２３の反射壁２３ｄのうち、フロントグリル１１の車幅方向外端に隣接する一部、つまりリフレクタ２３の車幅方向内側に位置する約半分の領域には、上下方向に縦長に延びる複数個（実施の形態では８個）のスリット２３ｅ…が車幅方向に所定間隔で形成される。スリット２３ｅ…の車幅方向の幅（スリット幅）は、車幅方向外側のスリット２３ｅから車幅方向内側のスリット２３ｅに向かって漸増している。
【００２３】
リフレクタ２３の後面に対向するボディ部２２の前面は、ボディ部２２全体を黒色の合成樹脂で構成したり、その部分を黒色に塗装したりすることで、光が反射し難くなっている。従って、前方からリフレクタ２３を見たとき、リフレクタ２３のスリット２３ｅ…を通して黒色のボディ部２２が見えることになる。
【００２４】
尚、透明なレンズ２４の前面は滑らかな曲面であるが、後面はジグザグのステップ状に形成されており、これによりレンズ２４を通してリフレクタ２３やポジションランプ２５が明瞭に見えるのを防止して意匠性が高められる。
【００２５】
次に、上記構成を備えた本発明の実施の形態の作用を説明する。
【００２６】
ポジションライト１４のポジションランプ２５が発光すると、ポジションランプ２５から出た光の一部は後方のリフレクタ２３のアルミニウムが蒸着された反射壁２３ｄで反射される。反射壁２３ｄはジグザグのステップ状に形成されており、前方のレンズ２４に向かって光を強く反射する部分と、ポジションランプ２５から出る光と略平行に延びて光をあまり反射しない部分とが交互に存在するため、ポジションライト１４のレンズ２４を前方から見ると、明るく光る部分と暗い部分とが交互に縞模様状に現れる。このとき、リフレクタ２３の反射壁２３ｄのうち、ポジションランプ２５から出る光と略平行に延びる部分も光を多少は反射するため、その反射した光がレンズ２４から前方に出射されてしまい、ポジションライト１４の縞模様のコントラストが弱くなる問題がある。
【００２７】
しかしながら、本実施の形態によれば、リフレクタ２３の反射壁２３ｄのうち、スリット２３ｅ…が形成された部分は光りを全く反射せず、スリット２３ｅ…以外の部分が光を前方に向けて強く反射するため、縞模様のコントラストが強くなる。しかもスリット２３ｅ…の車幅方向の幅（スリット幅）は車幅方向外側のスリット２３ｅから車幅方向内側のスリット２３ｅに向けて漸増するため、ポジションライト１４の明るさは車幅方向外側から車幅方向内側に向けて次第に暗くなり、暗い黒色のフロントグリル１１に連続的につながるグラデーションを形成して意匠性を高めることができる。
【００２８】
またポジションライト１４を前方から見たとき、リフレクタ２３のスリット２３ｅ…を通してボディ部２２の前面が見えるが、ボディ部２２の前面は黒色であるためにスリット２３ｅ…の部分は暗くなり、縞模様のコントラストが一層強められる。
【００２９】
以上のように、本実施の形態によれば、リフレクタ２３にスリット２３ｅ…を形成するだけの簡単な構成により、ステップ状の反射壁２３ｄを有するリフレクタ２３だけでは実現できないコントラストの強い縞模様を形成し、ポジションライト１４の意匠性を高めることができる。しかもコントラストの強い縞模様を形成するために、レンズ２４の後面に光を透過する部分と透過しない部分とを交互に形成したフィルムを貼り付ける必要がないため、部品点数や組付工数を削減してコストダウンに寄与することができる。
【００３０】
以上、本発明の実施の形態を説明したが、本発明はその要旨を逸脱しない範囲で種々の設計変更を行うことが可能である。
【００３１】
例えば、リフレクタ２３の反射壁２３ｄは必ずしもステップ状である必要はなく、前方に向けて光を反射するように滑らかに湾曲する曲面壁に、所定間隔で複数のスリット２３ｅ…を形成したものであっても良い。
【００３２】
また実施の形態ではスリット幅が車幅方向外側のスリット２３ｅから車幅方向内側のスリット２３ｅに向けて漸増しているが、スリット幅は一定であっても良く、車幅方向内側のスリット２３ｅから車幅方向外側のスリット２３ｅに向けて漸増していても良い。
【００３３】
またフロントグリル１１の色は実施の形態の黒色に限定されず、クロームメッキによる金属色であっても良い。
【００３４】
またボディ部２２の前面は必ずしも黒色である必要はなく、リフレクタ２３の反射壁２３ｄの前面よりも明度の低い暗色であれば、黒色以外の任意の色であっても良い。
【符号の説明】
【００３５】
１１        フロントグリル
１３        ヘッドライト
１４        ポジションライト
２２        ボディ部
２３        リフレクタ
２３ｅ      スリット
２４        レンズ
２５        ポジションランプ（光源）
【図１】
2015079627.tif 000003
【図２】
2015079627.tif 000004
【図３】
2015079627.tif 000005
【図４】
2015079627.tif 000006
【図５】
2015079627.tif 000007